(57)【要約】      （修正有）【課題】化粧品容器を提供する。【解決手段】全体として細長形状に構成され、長手方向と直交する方向の断面形状が円形であり、外部容器１０の内側に内部容器が挿入されて形成される容器本体と外部キャップ３０の内側に内部キャップが挿入されて形成されるキャップとを有し、容器本体の外部容器は、下方から上方へ向かうに連れて拡径し、上下方向の形状として外部容器の外側に向かって凸の曲面形状に形成されて、キャップの外部キャップは、外部キャップの最下部の直径が外部容器の最上部の直径と実質的に同一で、下方から上方へ向かうに連れて縮径し、上下方向の形状として外部キャップの外側に向かって凸の曲面形状に形成されて、上端部を含む上端近傍部を構成する所定範囲は球面状に形成されて、外部キャップの長手方向の長さは外部容器の長手方向の長さよりも短く、外部キャップが縮径する縮径率の絶対値は、外部容器が拡径する拡径率の絶対値よりも小さく規定される。【選択図】図１
0003224916.tif 000002
【実用新案登録請求の範囲】
【請求項１】
全体として細長形状に構成され、長手方向と直交する方向の断面形状が円形である化粧品容器であって、
外部容器の内側に内部容器が挿入されて形成される容器本体と、
外部キャップの内側に内部キャップが挿入されて形成されるキャップと、
を有し、
前記容器本体の前記外部容器は、下方から上方へ向かうに連れて拡径し、かつ、上下方向の形状として前記外部容器の外側に向かって凸の曲面形状に形成されており、
前記キャップの前記外部キャップは、前記外部キャップの最下部の直径が前記外部容器の最上部の直径と実質的に同一であり、下方から上方へ向かうに連れて縮径し、かつ、上下方向の形状として前記外部キャップの外側に向かって凸の曲面形状に形成されており、かつ、上端部を含む上端近傍部を構成する所定範囲は球面状に形成されており、
前記外部キャップの前記長手方向の長さは、前記外部容器の前記長手方向の長さよりも短く、
前記外部キャップが縮径する縮径率の絶対値は、前記外部容器が拡径する拡径率の絶対値よりも小さく規定されている、
化粧品容器。
【請求項２】
前記外部容器及び前記外部キャップの周壁は弾性変形可能な厚さに構成されており、
前記外部容器の内面と前記内部容器の外面との間は、下方へ向かうほど大きくなる空間として形成されており、
前記内部キャップには溝部が形成されており、前記外部キャップの内面との間において空間を形成するように構成されている、
請求項１に記載の化粧品容器。
【請求項３】
前記外部キャップの上端近傍部は、半球状に形成されている、
請求項１または請求項２に記載の化粧品容器。
【考案の詳細な説明】
【技術分野】
【０００１】
本考案は化粧品容器に関する。
【背景技術】
【０００２】
化粧品容器において、使用者に確実に保持されることが重要である。
【０００３】
マスカラを格納する容器に関する技術は多数提案されている（例えば、特許文献１）。
【先行技術文献】
【特許文献】
【０００４】
【特許文献１】特開２００５−１２５０２１号公報
【考案の概要】
【考案が解決しようとする課題】
【０００５】
特許文献１においては、ボトル２にマスカラが格納される。使用者は、例えば、ボトル２を左手で保持し、スクリューキャップ３を右手で操作することによって、スクリューキャップ３をボトル２から外す。このとき、使用者によって、ボトル２及びスクリューキャプ３が確実に保持される必要がある。
【０００６】
本考案は、上記を踏まえて、化粧品容器を操作するときに、化粧品容器の各部分が使用者によって確実に保持される化粧品容器を提供するものである。
【課題を解決するための手段】
【０００７】
第一の考案は、全体として細長形状に構成され、長手方向と直交する方向の断面形状が円形である化粧品容器であって、外部容器の内側に内部容器が挿入されて形成される容器本体と、外部キャップの内側に内部キャップが挿入されて形成されるキャップと、を有し、前記容器本体の前記外部容器は、下方から上方へ向かうに連れて拡径し、かつ、上下方向の形状として前記外部容器の外側に向かって凸の曲面形状に形成されており、前記キャップの前記外部キャップは、前記外部キャップの最下部の直径が前記外部容器の最上部の直径と実質的に同一であり、下方から上方へ向かうに連れて縮径し、かつ、上下方向の形状として前記外部キャップの外側に向かって凸の曲面形状に形成されており、かつ、上端部を含む上端近傍部を構成する所定範囲は球面状に形成されており、前記外部キャップの前記長手方向の長さは、前記外部容器の前記長手方向の長さよりも短く、前記外部キャップが縮径する縮径率の絶対値は、前記外部容器が拡径する拡径率の絶対値よりも小さく規定されている、化粧品容器である。
【０００８】
本考案の考案者は、人間の手が物を把持するときに、小指、薬指、中指、人差指を自然に折り曲げたときに形成される空間（以下、「把持空間」という。）は、人差指の方向ほど広くなる現象（以下、「把持空間現象」という。）を見出した。また、本考案の考案者は、人間は、片方の手（以下、「第一の手」と呼ぶ。）の指を折り曲げた状態において、他方の手（以下、「第二の手」と呼ぶ。）の指を折り曲げるときに、第一の手の指を折り曲げている程度と同程度に折り曲げる傾向があること（以下、「曲げ傾向」という。）を見出した。さらに、本考案の考案者は、本考案の考案者は、人間が、細長い形状の容器において、容器本体からキャップを回転させて外すときに、長手方向において容器本体からキャップを引き離すように引っ張る傾向（以下、「引っ張り傾向」という。）があることを見出した。本考案は、上述の把持空間現象、曲げ傾向及び引っ張り傾向という、本考案の考案者が見出した現象に基づく。第一の考案の構成によれば、外部容器は、下方から上方へ向かうに連れて拡径し、かつ、外部容器の外側に向かって凸の曲面形状に形成されているから、第一の手の把持空間に好適に収まる。また、外部キャップの上端部を含む上端近傍部を構成する所定範囲は球面状に形成されているから、第二の手の指がその所定範囲に接した場合には、球面状に形成された面を摺動して下方に移動し、自然に外部キャップの外周面に達する。そして、外部キャップは、その長さが外部容器よりも短く、その最下部の直径は外部容器の最上部の直径と実質的に同一であり、外部キャップが縮径する縮径率の絶対値は、外部容器が拡径する拡径率の絶対値よりも小さく規定されているから、上述の曲げ傾向に基づいて、第二の手の指が第一の手の指と同程度に折り曲げられると、第二の手の指は、第一の手の指が外部容器を把持するよりも強い力で外部キャップを把持する。これにより、上述の引っ張り傾向に基づいて、第二の手の指が上方に移動する力が作用した場合において、第二の手の指が上方へ移動する動きは上述の曲率半径によって制限されるから、外部キャップから外れる可能性は低い。上述のように、第一の考案の構成によれば、化粧品容器を操作するときに、化粧品容器の各部分が使用者によって確実に保持される。
【０００９】
第二の考案は、第一の考案の構成において、前記外部容器及び前記外部キャップの周壁は弾性変形可能な厚さに構成されており、前記外部容器の内面と前記内部容器の外面との間は、下方へ向かうほど大きくなる空間として形成されており、前記内部キャップには溝部が形成されており、前記外部キャップの内面との間において空間を形成するように構成されている、化粧品容器である。
【００１０】
第二の考案の構成によれば、外部容器の周壁は弾性変形可能な厚さに構成されており、かつ、外部容器の内面と内部容器の外面との間には空間が形成されているから、第一の手で外部容器を把持すると、反作用及び弾性変形が元の状態に戻ろうとする力によって、外部容器が第一の手を押し返す。またに、外部キャップの周壁は弾性変形可能な厚さに構成されており、かつ、外部キャップの内面と内部キャップの外面との間には、溝部によって空間が形成されているから、第一の手で外部キャップを把持すると、反作用及び弾性変形が元の状態に戻ろうとする力によって、外部キャップが第一の手を押し返す。これにより、化粧品容器を操作するときに、化粧品容器の各部分が使用者によって確実に保持される。
【００１１】
第三の考案は、第一の考案または第二の考案の構成において、前記外部キャップの上端近傍部は、半球状に形成されている、化粧品容器である。
【００１２】
第三の考案の構成によれば、使用者の手が外部キャップの上端近傍部に接した場合に、その上を摺動し、外部キャップの外周部に到達することができる。
【考案の効果】
【００１３】
本考案によれば、化粧品容器を操作するときに、化粧品容器の各部分が使用者によって確実に保持される。
【図面の簡単な説明】
【００１４】
【図１】本考案の実施形態にかかる化粧品容器の概略正面図である。
【図２】化粧品容器の概略平面図である。
【図３】化粧品容器の概略底面図である。
【図４】蓋を外した状態における化粧品容器の概略正面図である。
【図５】外部容器を示す概略斜視図である。
【図６】外部容器の概略断面図である。
【図７】内部容器を示す概略斜視図である。
【図８】外部キャップを示す概略斜視図である。
【図９】外部キャップを示す概略断面図である。
【図１０】内部キャップを示す概略正面図である。
【図１１】内部キャップの概略断面図である。
【図１２】内部キャップが外部キャップに接続された状態を示す概略図である。
【図１３】内部容器が外部容器に接続された状態を示す概略図である。
【図１４】容器本体の構成を示す概略図である。
【図１５】化粧品容器の構成を示す概略図である。
【図１６】化粧品容器が使用されるときに作用する力等を示す概念図である。
【図１７】化粧品容器が使用される状態の一例を示す概略図である。
【図１８】化粧品容器が使用される状態の一例を示す概略図である。
【図１９】化粧品容器が使用される状態の一例を示す概略図である。
【考案を実施するための形態】
【００１５】
以下、図面に基づき本考案の好適な実施形態を説明する。
【００１６】
図１乃至図３に示すように、化粧品容器１は、外部容器１０及び外部キャップ（外部蓋）３０を有する。化粧品容器１は化粧品容器の一例であり、外部容器１０は外部容器の一例であり、外部キャップ３０は外部キャップの一例である。本明細書において、化粧品容器１の長手方向を「長手方向」と呼ぶ。長手方向は、図１の矢印Ｚに示す方向である。長手方向に直交する方向を「直交方向」と呼ぶ。直交方向は、図１の矢印Ｘに示す方向である。
【００１７】
図１に示すように、化粧品容器１は、全体として細長形状に構成されている。また、化粧品容器１において、直交方向の断面形状（断面の外形の輪郭。以下同じ。）は円形に構成されている。外部容器１０の内側には内部容器２０（図７等参照）が挿入され、容器本体が形成される。外部キャップ３０の内側に内部キャップ４０（図１０等参照）が挿入され、キャップ（蓋）が形成される。内部容器２０は内部容器の一例であり、内部キャップ４０は内部キャップの一例である。
【００１８】
図４に示すように、化粧品容器１から外部キャップ３０を外すと、内部容器２０が視認可能な状態になる。上述のように、外部キャップ３０の内側には内部キャップ４０が挿入されている。内部キャップ４０には、柄４２が接続され、柄４２にはブラシ４４が接続されている。内部容器２０には、液体状の化粧品が格納される。液体状の化粧品は、例えば、マスカラである。
【００１９】
化粧品容器１は、使用者が手に把持して使用可能な大きさに形成されている。例えば、容器本体１の長手方向の長さＬ１（図１参照）は、１１９．５ミリメートル（ｍｉｌｌｉｍｅｔｅｒ）であり、直交方向の最大幅ＬＷ１は、１５．７５ミリメートルである。外部キャップ１０の長さＬ３は外部容器１０の長さＬ２よりも短い。例えば、外部容器１０の長さＬ２は７８ミリメートルであり、外部キャップ１０の長さＬ３は４１．３ミリメートルである。
【００２０】
外部容器１０及び外部キャップ３０は、金属で形成される。金属は、例えば、アルミニウムである。内部容器２０及び内部キャップ４０は、樹脂で構成される。樹脂は、例えば、ポリプロピレン（ｐｏｌｙｐｒｏｐｙｌｅｎｅ）である。外部容器１０及び外部キャップ３０、内部容器２０、内部キャップ４０は、弾性変形可能に構成されている。
【００２１】
図５及び図６に示すように、外部容器１０は、上方が開口した容器である。外部容器１０の直交方向の断面は円形（円周形状）に形成されている。外部容器１０において、外面を外周面１０ａ、内面を内周面１０ｂと呼ぶ。外部容器１０は、上端部が開口しており、下方から上方に向かうに連れて拡径している。例えば、上端部における直径ＬＷ４は、底部における直径ＬＷ６よりも大きい。また、上端部と底部の間のいずれかの位置における直径ＬＷ５は、直径ＬＷ４と直径ＬＷ６の間の大きさにおいて規定される。
【００２２】
また、図６に示すように、外部容器１０は、上下方向における形状として、外部容器１０の外側へ向かって凸の曲面形状に形成されている。その曲面形状は、曲率半径Ｒ１において形成されている。曲率半径Ｒ１は、例えば、７６６．５ミリメートル（ｍｉｌｍｅｔｅｒ）である。
【００２３】
外部容器１０の周壁の厚さ、すなわち、外周面１０ａと内周面１０ｂの間の距離は、外部容器１０が弾性変形可能な厚さにおいて規定されている。その厚さは、外部容器１０の全体の大きさとの関係で規定され、本実施形態においては、例えば、０．４ミリメートルである。
【００２４】
図７に示すように、内部容器２０は、上方が開口した容器である。内部容器２０の直交方向の断面は円形に形成されている。内部容器２０は、本体部２２及び接続部２４から構成される。接続部２４には雄ネジ２４ａが形成されており、内部キャップ４０のネジ４４ｄ（図１１参照）と係合するようになっている。
【００２５】
本体部２２は、基部２２ａ及び拡径部２２ｂで構成される。基部２２ａの外面を外周面２２ａ１、拡径部２２ｂの外面を外周面２２ｂ１と呼ぶ。外周面２２ａ１及び外周面２２ｂ１にわたって、溝部２２ｃが形成されている。溝部２２ｃは、長手方向の長さが直交方向の長さよりも長い。溝部２２ｃは、接続部２４の肩面２４ｂに通じている。内部容器２０が外部容器１０に挿入されて接続されて容器本体を形成したときに、溝部２２ｃは容器本体の外部に通じるようになっている。すなわち、溝部２２ｃは、肩面２４ｂにおいて開口している。
【００２６】
次に、図８及び図９を参照して、外部キャップ３０について説明する。外部キャップ３０は、下端部が開口した蓋である。外部キャップ３０の直交方向の断面は円形に形成されている。外部キャップ３０の外面は、外周面３０ａ及び上端近傍部３０ａ１から構成される。外部キャップ３０の内面は、内周面３０ｂ及び天井部３０ｂ１から構成される。上端部を含む上端近傍部３０ａ１を構成する所定範囲は球面状に形成されている。具体的には、上端近傍部３０ａ１は半球状に形成されている。外部キャップ３０の最下部の直径ＬＷ３は、外部容器１０の最上部の直径ＬＷ４と実質的に同一である。ここで、「実質的に」というのは、同一の寸法として構成するが、製造上の許容誤差を許容する意味である。
【００２７】
外部キャップ３０は、上端部近傍部３０ａ１を除き、下方から上方に向かうに連れて縮径する形状に形成されている。例えば、外周面３０ａと上端部近傍部３０ａ１との境界部直径ＬＷ１は、底部における直径ＬＷ３よりも小さい。また、境界部と底部の間のいずれかの位置における直径ＬＷ２は、直径ＬＷ１と直径ＬＷ３の間の大きさにおいて規定される。外部キャップ３０が縮径する縮径率の絶対値は、外部容器１０が拡径する拡径率の絶対値よりも小さく規定されている。
【００２８】
また、外部キャップ３０は、上下方向の形状として、外部キャップ３０の外側に向かって凸の曲面形状に形成されている。その曲面形状は、曲率半径Ｒ２において形成されている。外部キャップ３０の曲面形状の凸の方向は、外部容器１０の曲面形状の凸の方向と同じ方向である。外部キャップ３０が縮径する縮径率の絶対値は、外部容器１０が拡径する拡径率の絶対値よりも小さく規定されている。すなわち、曲率半径Ｒ２は、外部容器１０の曲率半径Ｒ１を基準として、所定の程度だけ大きい。その所定の程度は、例えば、２パーセント（％）以上１０パーセント以下であり、望ましくは、３パーセント以上６パーセント以下である。曲率半径Ｒ２は、例えば、７９３ミリメートルである。
【００２９】
外部キャップ３０の周壁の厚さ、すなわち、外周面３０ａと内周面３０ｂの間の距離は、外部キャップ３０が弾性変形可能な厚さにおいて規定されている。その厚さは、外部キャップ３０の全体の大きさとの関係で規定され、本実施形態においては、例えば、０．４ミリメートルである。
【００３０】
図１０及び図１１に示すように、内部キャップ４０は、本体部４４と、本体部４４に接続される柄４２を有する。内部キャップ４０は、下端部４４ｃが開口している。本体部４４の内面には、ネジ４４ｄが形成されている。なお、柄４２の下端部にはブラシ４４（図４参照）が接続されているが、以下の説明において、ブラシ４４は省略する。
【００３１】
図１０に示すように、内部キャップ４０の外周面４４ａには、キャップ溝部４４ａ１が形成されている。キャップ溝部４４ａ１は、長手方向の長さが、直交方向の長さよりも長い溝である。キャップ溝部４４ａ１は複数形成されており、キャップ溝部４４ａ１のうち、一部のキャップ溝部４４ａ１は、第二キャップ溝部４４ａ２と連続している。以下、第二キャップ溝部４４ａ２と連続しているキャップ溝部４４ａ１を「連続キャップ溝部」と呼ぶ。内部キャップ４０が外部キャップ３０に挿入されてキャップが形成されたときに、第二キャップ溝部４４ａ２はキャップの外部に通じるように構成されている。第二キャップ溝部４４ａ２の幅は、キャップ溝部４４ａ１の幅よりも小さい。
【００３２】
内部キャップ４０を外部キャップ３０に挿入してキャップを形成すると、内部キャップ４０の外面と外部キャップ３０の内面の間に空間が形成されるようになっている。図１２に示すように、内部キャップの上端部４４ｂと外部キャップ３０の天井部３０ｂ１との間に空間Ｓ１が存在する。また、キャップ溝部４４ａ１により、内部キャップ４０を外部キャップ３０に挿入してキャップを形成すると、キャップ溝部４４ａ１と外部キャップ３０の内面の間が空間となる。
【００３３】
次に、図１３乃至図１５を参照して、化粧品容器１の組み立て工程を説明する。なお、図１３乃至図１５においては、他の部材の内側に位置する部材も実線で示している。図１３に示すように、外部容器１０に内部容器２０が挿入されて固定された状態において、図１４に示すように、内部容器２０の接続部２４に、ゲート部材２６が接続される。ゲート部材２６は、直交方向の断面が円形に形成されている。ゲート部材２６は、化粧品容器１が使用されるときに、ブラシ４４と接し、ブラシ４４に付着したマスカラの量を調整する。図１５に示すように、外部キャップ３０に接続された内部キャップ４０が、外部容器１０に接続された内部容器２０と係合し、化粧品容器１が形成される。
【００３４】
次に、図１６を参照して、化粧品容器１が使用されるときに、化粧品容器１に作用する力、及び、化粧品容器１によって生じる力について説明する。外部容器１０は弾性変形可能に構成されているから、使用者の一方の手（第一の手）によって外部容器１０に対して矢印Ｘ１方向の力を加えると、外部容器１０から第一の手に対して、反対方向である矢印Ｘ２方向に、反作用としての力と、弾性変形が元の状態に戻ろうとする力が作用する。そして、細長い形状を有する外部容器１０を使用者が把持するときには、外部容器１０の上端を把持するよりは、中間部または下方を把持するのが通常である。
【００３５】
使用者の他方の手（第二の手）が矢印Ｚ２方向に示す上方から化粧品容器１の上端近傍部３０ａ１に接近し、上端部近傍部３０ａ１に接触すると、上端近傍部３０ａ１は球面状に形成されているから、第二の手は矢印Ｔ１に示すように、上端近傍部３０ａ１上を移動し、外周面３０ａに到達する。ここで、第二の手の指が曲がる程度は、第一の手の指が曲がっている程度と等しくなる傾向がある。また、細長い形状を有する外部容器１０と外部キャップ３０を使用者が把持するときには、長さ方向において、外部容器１０と外部キャップ３０の境界からの位置がほぼ同じ位置（以下、「把持位置」と呼ぶ。）が保持される傾向がある。外周面３０ａの縮径率の絶対値は、外周面１０ａの拡径率の絶対値よりも小さいから、把持位置における外周面３０ａの直径は、外部容器１０の外周面１０ａの直径よりも大きいから、第二の手の指は、第一の手の指が外部容器１０を把持するよりも強い力において、外部キャップ３０を把持する。外部キャップ３０は弾性変形可能に構成されているから、第二の手によって外部キャップ３０に対して矢印Ｘ１方向の力を加えると、外部キャップ３０から第一の手に対して、反対方向である矢印Ｘ２方向に、反作用としての力と、弾性変形が元の状態に戻ろうとする力が作用する。
【００３６】
第二の手は、外部キャップ３０を回転させて外部容器１０から外すときに、矢印Ｚ１に示す上方へ引っ張る傾向があるが、外周面３０ａは、上述のように、強い力で把持されるから、第二の手が外部キャップ３０から外れる可能性は低い。
【００３７】
次に、図１７乃至図１９を参照して、化粧品容器１が使用される状態を説明する。図１７に示すように、使用者の左手１００Ｌの指を折り曲げると、把持空間現象に基づき、人差指の方向ほど空間が広くなる。そして、外部容器１０は、上方へ向かうに連れて拡径しているから、左手１００Ｌの指が折り曲げられた状態において、左手１００Ｌに好適に収まる。使用者が左手１００Ｌで外部容器１０を保持するための力を加えると、外部容器１０は弾性変形可能に構成されているから、外部容器１０から左手１００Ｌに対して、反作用としての力と、弾性変形が元の状態に戻ろうとする力が作用する。これにより、左手１００Ｌによって、外部容器１０が確実に保持される。
【００３８】
そして、使用者の右手１００Ｒが化粧品容器１の上端近傍部３０ａ１に接近し、上端部近傍部３０ａ１に接触すると、上端近傍部３０ａ１は球面状に形成されているから、右手１００Ｒは、上端近傍部３０ａ１上を移動し、図１８に示すように、外周面３０ａに到達する。
【００３９】
このとき、曲げ傾向に基づき、右手１００Ｒの指が曲がる程度は、左手１００Ｌの手の指が曲がっている程度と等しくなる傾向を有し、上述の把持位置において、外周面３０ａの直径は、外部容器１０の外周面１０ａの直径よりも大きいから、右手１００Ｒの指は、左手１００Ｌの指が外部容器１０を把持するよりも強い力において、外部キャップ３０を把持する。
【００４０】
外部キャップ３０は弾性変形可能に構成されているから、右手１００Ｒの手によって外部キャップ３０に対して力を加えると、外部キャップ３０から右手１００Ｒに対して、反作用としての力と、弾性変形が元の状態に戻ろうとする力が作用する。
【００４１】
さらに、図１９に示すように、右手１００Ｒによって、外部キャップ３０を回転させて外部容器１０から外すときに、引っ張り傾向に基き、右手１００Ｒは外部キャップ３０を矢印Ｚ１に示す上方へ引っ張る傾向がある。上述のように、外周面３０ａは、右手１００Ｒによって強い力で把持されるから、右手１００Ｒの上方への動きは制限される。このため、右手１００Ｒが外部キャップ３０から外れる可能性は低い。
【００４２】
なお、本考案の化粧品容器は、上記実施形態に限らず、本考案の要旨を逸脱しない範囲内において種々変更を加えることができる。
【符号の説明】
【００４３】
１    化粧品容器
１０  外部容器
２０  内部容器
３０  外部キャップ
４０  内部キャップ
【図１】
0003224916.tif 000003
【図２】
0003224916.tif 000004
【図３】
0003224916.tif 000005
【図４】
0003224916.tif 000006
【図５】
0003224916.tif 000007
【図６】
0003224916.tif 000008
【図７】
0003224916.tif 000009
【図８】
0003224916.tif 000010
【図９】
0003224916.tif 000011
【図１０】
0003224916.tif 000012
【図１１】
0003224916.tif 000013
【図１２】
0003224916.tif 000014
【図１３】
0003224916.tif 000015
【図１４】
0003224916.tif 000016
【図１５】
0003224916.tif 000017
【図１６】
0003224916.tif 000018
【図１７】
0003224916.tif 000019
【図１８】
0003224916.tif 000020
【図１９】
0003224916.tif 000021